(57)【要約】【課題】操作部を大きくすることなく且つ組み立てコストの増加を招くことなく本体装置内部のプリント回路基板を静電気破壊から確実に防止できる操作装置を提供する。【解決手段】弾性部材７３は凸部７３ａの反対側面の凸部７３ｃがフレキシブル基板８８の面に押圧されることにより円環部１２４を後カバー板７７の裏側凸部７７ａ回りに押圧して固定する。十字操作ボタン１３は各操作ボタン１２２を自由端とし二本の支持腕１２３を腕部とする片持ち状態で円環部１２４により後カバー板７７の裏側凸部７７ａ回りに固定される。十字操作ボタン１３の表側全面は静電気導通性面に形成されており操作ボタン１２２に帯電した静電気は支持腕１２３及び円環部１２４を介して容易に後カバー板７７に放電され、操作ボタン１２２のスイッチ押圧用突起１２５から十字用スイッチ９１を介してフレキシブル基板８８に静電気が伝わって電子回路を損傷させる虞はない。【選択図】      図７
2005251551.tif 000002
【特許請求の範囲】
【請求項１】
外観部に露出されるつまみ部と当該つまみ部を支持する支持部を有し、前記つまみ部の表面と前記支持部の表面に連続的な静電気導通性面が形成された操作部材と、
静電気導通性部を有し、該静電気導通性部に前記支持部の前記静電気導通性面を近接させるように前記操作部材が取り付けられた取付部材と、
前記操作部材の前記取付部材とは反対側に配置され、前記操作部材によって操作されるスイッチが配置された電気回路基板と、
該電気回路基板と前記操作部材の間に挟まれるように配置され、前記支持部の前記静電気導通性面を前記取付部材の前記静電気導通性部に接近または接触させるように前記支持部を前記取付部材に押圧する非導電性の弾性部材と、
を備えたことを特徴とする操作装置。
【請求項２】
前記操作部材は、前記電気回路基板に対向する面が非導電性面であることを特徴とする請求項１記載の操作装置。
【請求項３】
前記操作部材は、前記つまみ部を自由端とし前記支持部の一部を腕部とする片持ち状態で前記取付部材に取り付けられる、ことを特徴とする請求項１又は２記載の操作装置。
【請求項４】
前記操作部材は、複数個備えられ、それぞれの根元部分で一体的に結合されている、ことを特徴とする請求項３記載の操作装置。
【請求項５】
複数の各前記操作部材は、一体的結合部を中心に輻射状に設けられることを特徴とする請求項４記載の操作装置。
【請求項６】
前記取付部材は、前記操作部材を保護する外装部材であることを特徴とする請求項１又は２記載の操作装置。
【請求項７】
前記取付部材及び前記支持部には、相互位置決め用の位置決め部が設けられ、前記支持部の位置決め部は、前記弾性部材を位置決めする位置決め部を兼ねることを特徴とする請求項１、２、３、４、５又は６記載の操作装置。
【請求項８】
前記弾性部材は、前記電気回路基板への水分の侵入を防止するシート状の防水部材である、ことを特徴とする請求項１、２、３、４、５、６又は７記載の操作装置。
【請求項９】
外観部に露出されるつまみ部と当該つまみ部を支持する支持部を有し、前記つまみ部の表面と前記支持部の表面に連続的な静電気導通性面が形成された操作部材と、静電気導通性部を有し、該静電気導通性部に前記支持部の前記静電気導通性面を近接させるように前記操作部材が取り付けられた取付部材と、前記操作部材の前記取付部材とは反対側に配置され、前記操作部材によって操作されるスイッチが配置された電気回路基板と、該電気回路基板と前記操作部材の間に挟まれるように配置され、前記支持部の前記静電気導通性面を前記取付部材の前記静電気導通性部に接近または接触させるように前記支持部を前記取付部材に押圧する非導電性の弾性部材とを備えた操作装置、を有することを特徴とするカメラ。
【請求項１０】
前記操作部材は、複数個備えられ、それぞれの根元部分で一体的に結合され、この一体的結合部分を中心に輻射状に設けられる、ことを特徴とする請求項９記載のカメラ。
【請求項１１】
画像撮影用の撮像素子を備え、前記操作装置は撮影条件設定操作用の操作装置であることを特徴とする請求項１０記載のカメラ．
【請求項１２】
前記操作装置をカメラ本体の背面に備えたことを特徴とする請求項１１記載のカメラ。
【請求項１３】
前記弾性部材は、前記電気回路基板への水分の侵入を防止するシート状の防水部材であることを特教とする請求項１２記載のカメラ。
【請求項１４】
前記電気回路基板には前記弾性部材側に突出するような回路が実装され、前記弾性部材はシート状表面に、突出した前記回路に対応する凹部を形成して、突出した前記回路を前記取り付け部材から覆うことを特徴とする請求項１３記載のカメラ。
【請求項１５】
外観部に露出されるつまみ部と当該つまみ部を支持する支持部を有し、前記つまみ部の表面と前記支持部の表面に連続的な静電気導通性面が形成された操作部材と、静電気導通性部を有し、該静電気導通性部に前記支持部の前記静電気導通性面を近接させるように前記操作部材が取り付けられた取付部材と、前記操作部材の前記取付部材とは反対側に配置され、前記操作部材によって操作されるスイッチが配置された電気回路基板と、該電気回路基板と前記操作部材の間に挟まれるように配置され、前記支持部の前記静電気導通性面を前記取付部材の前記静電気導通性部に接近または接触させるように前記支持部を前記取付部材に押圧する非導電性の弾性部材とを備えた操作装置、を有することを特徴とする電子機器。
【発明の詳細な説明】
【技術分野】
【０００１】
本発明は、本体装置内部の電子部品の静電気破壊を防止する操作部の構造に関する。
【背景技術】
【０００２】
近年、各種の電子機器が広く使用されているが、一般に、電子機器は、ＩＣ（集積回路）、抵抗、コンデンサなどの電子部品を搭載したプリント回路基板を内部に備えている。そして、このプリント回路基板のスイッチ部に対応する位置に、外部からの操作ボタンを配置したパネル等の外装部が配設される。
【０００３】
ところが、一般に、操作ボタンには静電気が帯電し易く、他方、プリント回路基板の回路、特にＩＣは、静電気に弱く、上記の操作ボタンに帯電した静電気が導通したりすると容易に回路が破壊されるという弱点を有している。
このプリント回路基板の弱点を保護するために、例えば、導電性を有する操作部材を外装に連結させるネジの頭部を、直接プリント回路基板のグランドに接触させて、外部より侵入する静電気を確実にグランドに流すようにした操作部の構成が知られている。（例えば、特許文献１参照。）
また、同様の目的で、操作ボタン受け部の面を導電性面にし、導電性を有する操作ボタンの操作感を発生させる蔓巻ばね（コイルバネ）の端部を操作ボタン受け部を介して金属外カバーに電気的に接続されるようにし、操作スイッチに帯電する静電気を確実に外装部に落とすようにして、内部のプリント回路基板に実装されたスイッチ部を押圧するための操作ボタンを通じて静電気がプリント回路基板に不用意に流れるのを防止するようにした操作部の構成が知られている。（例えば、特許文献２参照。）
【特許文献１】特開２００２−３６８４３６（［要約］、図２）
【特許文献２】特開２０００−３５２７４９（［要約］、図１）
【発明の開示】
【発明が解決しようとする課題】
【０００４】
しかしながら、特許文献１の技術のような操作部の構成では、動作部を外装部にネジで連結するためのネジが必要となるので、ネジ止め部分の分だけ本体装置の容積が大きくなり、近年のように小型化が進む電子機器には採用することができない。また、本体装置の組立てにネジ止めの工程が加わるため、工場における組み立てコストが上昇するという問題もある。
【０００５】
また、特許文献２の技術の操作部の構成は、コイルバネを利用するので、例えばカメラのシャッタボタンのようにコイルバネを設けることのできるような操作部に適用が限定されてしまい、その他の操作箇所には適用できないから、設計の自由度に制約を受けるという不便を伴う。
【０００６】
本発明の課題は、上記従来の実情に鑑み、操作部を大きくすることなく且つ組み立てコストの増加を招くことなく本体装置内部のプリント回路基板を静電気破壊から確実に防止できる操作装置及びそれを用いたカメラ又は電子機器の提供することである。
【課題を解決するための手段】
【０００７】
先ず、第１の発明の操作装置は、外観部に露出されるつまみ部と当該つまみ部を支持する支持部を有し、上記つまみ部の表面と上記支持部の表面に連続的な静電気導通性面が形成された操作部材と、静電気導通性部を有し、該静電気導通性部に上記支持部の上記静電気導通性面を近接させるように上記操作部材が取り付けられた取付部材と、上記操作部材の上記取付部材とは反対側に配置され、上記操作部材によって操作されるスイッチが配置された電気回路基板と、該電気回路基板と上記操作部材の間に挟まれるように配置され、上記支持部の上記静電気導通性面を上記取付部材の上記静電気導通性部に接近または接触させるように上記支持部を上記取付部材に押圧する非導電性の弾性部材と、を備えて構成される。
【０００８】
上記操作部材は、例えば上記電気回路基板に対向する面が非導電性面であるように構成され、また、例えば上記つまみ部を自由端とし上記支持部の一部を腕部とする片持ち状態で上記取付部材に取り付けられるように構成される。
また、上記つまみ部は、例えば複数個備えられ、それぞれの根元部分で一体的に結合されて構成される。この場合、複数の各上記つまみ部は、例えば一体的結合部を中心に輻射状に設けられるように構成される。また、上記取付部材は、例えば上記操作部材を保護する外装部材であることが好ましい。
【０００９】
そして、この操作装置は、例えば、上記取付部材及び上記一体的結合部には相互位置決め用の位置決め部が設けられ、上記一体的結合部の位置決め部は上記弾性部材を位置決めする位置決め部を兼ねるように構成される。
また、上記弾性部材は、例えば上記電気回路基板への水分の侵入を防止するシート状の防水部材で構成される。
【００１０】
次に、第２の発明のカメラは、外観部に露出されるつまみ部と当該つまみ部を支持する支持部を有し、上記つまみ部の表面と上記支持部の表面に連続的な静電気導通性面が形成された操作部材と、静電気導通性部を有し、該静電気導通性部に上記支持部の上記静電気導通性面を近接させるように上記操作部材が取り付けられた取付部材と、上記操作部材の上記取付部材とは反対側に配置され、上記操作部材によって操作されるスイッチが配置された電気回路基板と、該電気回路基板と上記操作部材の間に挟まれるように配置され、上記支持部の上記静電気導通性面を上記取付部材の上記静電気導通性部に接近または接触させるように上記支持部を上記取付部材に押圧する非導電性の弾性部材とを備えた操作装置、を有して構成される。
【００１１】
このカメラにおいては、例えば上記つまみ部は、複数個備えられ、それぞれの根元部分で一体的に結合され、この一体的結合部分を中心に輻射状に設けられるように構成される。
また、このカメラは、例えば画像撮影用の撮像素子を備え、上記操作装置は撮影条件設定操作用の操作装置であるように構成される。また、このカメラは、例えば上記操作装置をカメラ本体の背面に備えて構成される。
【００１２】
上記弾性部材は、例えば上記電気回路基板への水分の侵入を防止するシート状の防水部材で構成される。そして、例えば上記電気回路基板には上記弾性部材側に突出するような回路が実装され、上記弾性部材はシート状表面に、突出した前記回路に対応する凹部を形成して、突出した上記回路を上記取り付け部材から覆うように構成される。
【００１３】
更に、第３の発明の電子機器は、外観部に露出されるつまみ部と当該つまみ部を支持する支持部を有し、上記つまみ部の表面と上記支持部の表面に連続的な静電気導通性面が形成された操作部材と、静電気導通性部を有し、該静電気導通性部に上記支持部の上記静電気導通性面を近接させるように上記操作部材が取り付けられた取付部材と、上記操作部材の上記取付部材とは反対側に配置され、上記操作部材によって操作されるスイッチが配置された電気回路基板と、該電気回路基板と上記操作部材の間に挟まれるように配置され、上記支持部の上記静電気導通性面を上記取付部材の上記静電気導通性部に接近または接触させるように上記支持部を上記取付部材に押圧する非導電性の弾性部材とを備えた操作装置、を有して構成される。
【発明の効果】
【００１４】
本発明によれば、外観部に露出されるつまみ部の表面とつまみ部を支持する支持部の表面とに連続的な静電気導通性面が形成された操作部材の支持部の静電気導通性面を、取付部材の静電気導通性部に近接させるように操作部材が取り付けられるので、簡単な構成で操作部材に帯電した静電気による電気回路基板の静電気破壊を防止することができる。
【発明を実施するための最良の形態】
【００１５】
以下、本発明の実施の形態を図面を参照しながら説明する。尚、以下の説明において上記つまみ部は、例えば操作ボタン１２２等から成り、上記支持部は、例えば二本の支持腕１２３等から成り、上記操作部材は、例えば十字操作ボタン１３等から成り、上記取付部材は、例えば後カバー板７７等から成り、上記電気回路基板は、例えばフレキシブル基板８８等から成り、上記弾性部材は、例えば板状の弾性部材７３等から成り、上記一体的結合部は、例えば円環部１２４等から成り、そして、上記支持部に含まれる位置決め部は、例えば位置決め用孔１３ａ等から成る。
【実施例１】
【００１６】
図１(a) は、第１の実施の形態におけるデジタルカメラを前面から見た外観斜視図であり、(b) は、その背面から見た外観斜視図である。なお、本例のデジタルカメラ１の配置図の説明において、カメラの幅方向である図の両方向矢印Ｘで示す左右方向は、カメラの被写体側から見た左右方向を示している。また、レンズの撮影光軸Ｏに沿う図の両方向矢印Ｚで示すカメラの前後方向は、被写体側を前方、反被写体側を後方または背面側として示し、また、図の両方向矢印Ｙで示す上下方向は、カメラを通常の状態で手に持ったときの上下方向を示している。
【００１７】
同図(a),(b) に示すように、本例のデジタルカメラ１は、前カバーユニット２ａ、中カバーユニット２ｂ、及び後カバーユニット２ｃからなる主外装部２、並びに中カバーユニット２ｂに続く左側面部のコネクタ蓋３ａ及び底面部に配置された電池蓋３ｂからなる副外装部で、全体が覆われている。
【００１８】
上記前カバーユニット２ａの前面開口部には、前後に進退可能な撮影レンズ鏡筒４が配置されている。撮影レンズ鏡筒４には撮影レンズ５が保持されており、撮影レンズ５の前面には、レンズバリア６が、前カバーユニット２ａの上下に設けられたスライド溝７ａ及び７ｂ（スライド溝７ｂは図では陰になって見えない）を介して前カバーユニット２ａに上下から外嵌して前面部を左右方向に滑動自在に取り付けられている。このレンズバリア６は、撮影レンズ５が後退位置にあるときに前面開口部を開閉する。
【００１９】
上記中カバーユニット２ｂの上面部には、レリーズスイッチ操作釦８とマイク開口部９が配置されている。また、後カバーユニット２ｃの背面部には、ファインダ接眼窓部１１とＬＣＤ表示窓部１２が形成されており、十字操作ボタン１３、ズームボタン１４、液晶モニタ／再生ボタン１５、ＯＫ／メニューボタン１６が配置されている。また、スピーカ用開口部１７が形成されており、このスピーカ用開口部１７の背部には後述するスピーカが配置されている。また、後カバーユニット２ｃの左側面部にはストラップ取付部１８が設けられている。
【００２０】
上記のように、本例のカメラは、マイクが、マイク開口部９に示すように本体外装部の上面に配置されているので、カメラ使用者の説明音声を容易に入力することができると共に、カメラ前方にマイクを遮る構成がないので撮影方向からの被撮影者の音声も容易に拾うことができる使い易い位置にマイクが配置されている。
【００２１】
また、本例のカメラは、スピーカが、スピーカ用開口部１７に示すように本体外装部のカメラ使用者側を向く背面に配置されているので、カメラ使用者が再生音声を容易に聞き取ることができる位置にスピーカが配置されている。
図２は、デジタルカメラ１の概略の内部構成を前方から見た分解斜視図である。同図に示すように、デジタルカメラ１は、上述した主外装部２の前カバーユニット２ａ、中カバーユニット２ｂ、後カバーユニット２ｃ、副外装部のコネクタ蓋３ａ（図示省略）、電池蓋３ｂ（図示省略）と、これらの外装内に組み込まれる主な構成部材として、鏡筒組立ユニット２０、基板中枠ユニット２１が備えられている。
【００２２】
前カバーユニット２ａは、例えばアルミニウム等の金属製薄板からなる前カバー板２２の右端部に撮影レンズ用開口部２３、ほぼ中央部に網目状の前面部開口２４、中央上方部にストロボ発光窓２５と、ファインダ窓２６が横に並んで設けられ、そのすぐ下方にセルフタイマＬＥＤ窓２７が配置され、最下部にはリモートコントロール用窓２８が配置されている。
【００２３】
この前カバーユニット２ａの前カバー板２２の上下には左右方向に延びる前述したスライド溝７ａ、７ｂ（図２の場合もスライド溝７ｂは図では陰になって見えない）が形成されている。上記のスライド溝７ａ、７ｂには、前述したレンズバリア６が図２の一点鎖線矢印２９ａ、２９ｂで示すように、滑動自在に嵌入して取り付けられる。上記レンズバリア６は、撮影レンズ用開口部２３やストロボ発光窓２５等を閉鎖する閉位置（右方位置）と開放する開位置（左方位置）にスライド操作が可能である。
【００２４】
また、前カバーユニット２ａにおいて、上記の網目状の前面部開口２４には、前面部開口用防水シート３１が図の破線矢印３２で示すように前カバー板２２の裏側から貼り付けられる。この前面部開口用防水シート３１は、空気通過水分不通過性を有している。前面部開口２４は、レンズバリア６の開閉いずれの位置においてもレンズバリア６で遮蔽されているので、直接外観から目視はされない。また、ストロボ発光窓２５には、ストロボ発光管３３を内蔵するストロボ発光ユニット３４が前カバー板２２の裏側から取り付けられる。また、ファインダ窓２６には、このファインダ窓２６とファインダ接眼窓部１１との間に、ファインダ光学系を内蔵するファインダユニット３５が配置される。
【００２５】
この前カバーユニット２ａの前カバー板２２の上部には、前カバー板２２の内部に接着固定される合成樹脂製の組み付け用の前カバー枠３６が左端部からストロボ発光窓２５の上方位置まで延在して配置されている。この前カバー枠３６の、ストロボ発光窓２５の上方に位置する端部に、マイク用開口部３７が形成されている。このマイク用開口部３７には、マイク開口部用防水シート３８が上から貼り付けられる。このマイク開口部用防水シート３８も空気通過水分不通過性を有している。
【００２６】
続いて、上記撮影レンズ用開口部２３の内部に配置される鏡筒部組立ユニット２０は、前述した撮影レンズ鏡筒４が、外周に防水用パッキン３９が装着された固定枠４０に移動枠４１を介して取り付けられている。撮影レンズ鏡筒４は、固定枠４０により光軸Ｏ方向に進退移動可能に支持され、撮影レンズ５を保持している。
【００２７】
固定枠４０には、前方下部にモータ４２が配置され、側部にはモータ４２によって駆動され上記の移動枠４１を光軸Ｏ方向に進退移動させるレンズ駆動部４３が配置されている。固定枠４０の後部には、撮影レンズ鏡筒４内部の撮影レンズ５の結像面に位置するＣＣＤ基板４４を搭載された撮像素子基板４５と、その更に背後に配置されたユニット取り付け板４６とから成るＬＣＤ表示ユニット４７が組み付けられて、全体がユニット化されている。
【００２８】
また、上記のＬＣＤ表示ユニット４７には、フレキシブルプリント基板４８を介して撮像用基板４９が接続されている。この撮像用基板４９は、後述する第２電装基板５２に接続されている。
前述の基板中枠ユニット２１は、中枠５０と、この中枠５０の側面開口部の反対側面に密着して配置される第１電装基板５１と、この第１電装基板５１と平行配置された第２電装基板５２及び第１電装基板５１の外側に配置された第３電装基板５３を備えている。
【００２９】
上記の中枠５０は、第１電装基板５１によって覆われている内部に電源用電池５４が収納される電池室５５が形成されている。電池室５５には図１に示した電池蓋３ｂを開いた開口部から電源用電池５４が挿入される。また、中枠５０には電池室５５に隣接して、ストロボ発光のための電荷チャージ用のストロボコンデンサ５６と、撮像用基板４９の不図示の接続コネクタを第１電装基板５１に接続するための内部接続コネクタ５７が備えられている。
【００３０】
上記の第１電装基板５１は、電池室前側基板としてのメイン制御基板であって、画像処理回路や各種の制御回路部が実装されている。そして、第１電装基板５１と第２電装基板５２の間には、図１のコネクタ蓋３ａを開いた開口部に、メモリカード（記録媒体）挿入用のカードスロット５８、ビデオ出力コネクタ端子部５９、及びＵＳＢコネクタ端子部６１が配置されている。これら各部は第１電装基板５１に搭載されている。
【００３１】
上記のカードスロット５８、ビデオ出力コネクタ端子部５９、及びＵＳＢコネクタ端子部６１は、図の左側面において外部に開放されているが、全体が組み立て上がり後には、内部周囲にパッキン付きの図１(a) に示したコネクタ蓋３ａによって覆われて外部から封止される。
【００３２】
また、第２電装基板５２は、主に電源回路部が実装されている。そして、第３電装基板５３には、主にストロボ制御回路部や上記のストロボコンデンサ５６が実装されており、更に下部から右方に延び出す突出部が形成されている。この突出部の端部にＤＣコネクタ端子６８が実装されており、ビスにより後カバーユニット２ｃにねじ止めするためのビス孔が設けられている。
【００３３】
また、上記の中枠５０上面部は、本体装置内部中央に延び出して形成され、その延び出した端部に、マイク保持孔６２が形成されており、このマイク保持孔６２にはマイク６３の下部係合部が嵌入して保持される。
これにより、全体が組み立て上がったとき、マイク６３は、ガスを発生しやすい種類の電池も装填される電池室５５や、いずれも動作時に発熱を伴うレンズ部（鏡筒部組立ユニット２０）とストロボ発光用のストロボコンデンサ５６の間に配置される。ただし、このマイク６３は、鏡筒部組立ユニット２０に近接して配置されてはいるが、鏡筒部組立ユニット２０とは独立構成の中枠５０のマイク設置部５０ｃに保持されるので、レンズ移動の際の鏡枠の振動を拾いにくいように構成されている。
【００３４】
前カバーユニット２ａと後カバーユニット２ｃとの間にあって上述した各部の中央部分の上部及び右側面を覆う中カバーユニット２ｂは、例えばアルミニウム等の金属製薄板からなる中カバー板６４を備え、この中カバー板６４の上面にレリーズ釦用開口部６５とマイク用開口部６６が形成され、右側面下端部近傍にＤＣ端子用切り欠き部６７が形成されている。レリーズ釦用開口部６５には、図１に示したレリーズスイッチ操作釦８が一点鎖線で示すように下方から挿入される。
【００３５】
最後に、後カバーユニット２ｃは、例えばアルミニウム等の金属製薄板からなる後カバー板７１と、この後カバー板７１の内部に接着固定される合成樹脂製の組み付け用の後カバー枠７２とを備えている。
上記後カバー板７１の内側面には、図１にも示したファインダ接眼窓部１１とＬＣＤ窓部１２が図の右方に配置され、図の左方下にスピーカ用防水シート６９が配設されている。更に中央部には、例えば合成ゴム等からなる所定の凹凸形状に成形された板状の弾性部材７３が配置され、この弾性部材７３と後カバー板７１との間に、詳しくは後述するが、図１にも示した十字操作ボタン１３が配置される。
【００３６】
上記の弾性部材７３には背面（内部を向く面）中央に十字操作ボタン押圧用の凸部７３ａが形成され、上方から左方に細長く延び出す部分の根元の上部には、後述するマイクリード線半田付け部との圧接を回避するための凹部７３ｂが形成されている。また、上記の後カバー枠７２には、図の右方下部にＤＣコネクタ端子用開口部７４と、底面部には開閉可能な図１に示した電池蓋３ｂを有する電池挿入用開口部７５が設けられている。上記のＤＣコネクタ端子用開口部７４に対応して、前述した中カバーユニット２ｂの中カバー板６４の下端部近傍には、ＤＣコネクタ端子用の切り欠き部７６が形成されている。
【００３７】
上記前カバー枠３６と、後カバー枠７２とは、特には図示しないが、防水用封止部材を介装し、ビス孔に挿通されたビスとの螺合により結合されて、上記前カバー板２２、中カバー板６４、後カバー板７１により、本デジタルカメラ１の外装が形成される。
図３は、デジタルカメラ１の一部内部構成を後方から見た分解斜視図である。尚、同図には、図２に示した、前カバーユニット２ａ、鏡筒部組立ユニット２０、第１〜第３電装基板５１〜５３、中カバーユニット２ｂ等の図示を省略している。
【００３８】
図３に示すように、後カバーユニット２ｃの例えばアルミニウム等の金属製薄板からなる後カバー板７７には、図１(b) に示したファインダ接眼窓部１１用のファインダ用開口７８とＬＣＤ表示窓部１２用のＬＣＤ用開口７９が形成されている。これらの開口部にファインダ接眼窓部材やＬＣＤ表示窓部材が取り付けられるに際しては、それら部材の取り付け周囲に沿って、封止用接着剤が隙間無く盛り付けられて、外部からの水分や湿気の進入が防止される。
【００３９】
更に後カバー板７７には、これも図１(b) に示した十字操作ボタン１３用の４つの十字ボタン用開口８１、液晶モニタ／再生ボタン１５用のモニタ／再生用開口８２、ＯＫ／メニューボタン１６用のＯＫ／メニュー用開口８３、スピーカ用開口部１７、電池蓋３ｂ用の切り欠き部８４が形成されており、右上には、ズームボタン１４用のズーム用開口８５が形成され、このズーム用開口８５には中央に支柱８６が備えられている。
【００４０】
ズームボタン１４は、一点鎖線８７で示すように、左端部を横に捻りながら支柱８６で仕切られた右側の開口８５ａに後方から挿通することにより、係合部１４ａが支柱８６に係合して、支柱８６を支点にシーソー状に回動するように配置される。
上記各ボタン用の開口には、図１(b) に示した各ボタンが後方から嵌め込まれ、この後方に接着配置された弾性部材７３によって位置固定される。
【００４１】
特に十字操作ボタン１３は、その中央に位置決め用孔１３ａを形成されている。そして、この位置決め用孔１３ａに対応して、一方では、後カバー板７７の４つの十字ボタン用開口８１の中央部に、表から見ると凹部に見える裏側凸部７７ａが形成され、他方では、弾性部材７３の十字ボタン支持部の中央に突起部７３ａが形成されている。
【００４２】
これにより、十字操作ボタン１３の位置決め用孔１３ａには、前からは後カバー板７７の裏側凸部７７ａが嵌入し、後からは弾性部材７３の突起部７３ａが嵌入して、十字操作ボタン１３が位置決めされる。
弾性部材７３を上記のように接着配置するのとは別に、封止用接着材が弾性部材７３の周辺に沿って隙間無く盛り付けられる。これにより、各操作ボタンとボタン孔との隙間から進入する水分や湿気がカメラ内部まで侵入することが防止される。
【００４３】
この弾性部材７３の背後に密着してフレキシブル基板８８が配設される。フレキシブル基板８８の弾性部材７３との密着面には、ズームボタン１４に対応する２つのズーム用スイッチ８９、十字操作ボタン１３に対応する４つの十字用スイッチ９１、液晶モニタ／再生ボタン１５に対応するモニタ／再生用スイッチ９２、ＯＫ／メニューボタン１６に対応するＯＫ／メニュー用スイッチ９３、レリーズスイッチ操作釦８（図(a),(b) 参照）に対応するレリーズスイッチ９４が配設されている。
【００４４】
また、このフレキシブル基板８８には、図の右下部分にスピーカ配置用の切り欠き部９５が形成され、左上部から更に左に細長く延び出すファインダ横ＬＥＤ用の配線部９６が形成されている。
この、配線部９６の延び出部の根元近傍に、マイク６３の２本のリード線９７の終端部が半田付けされる２つの端子９８が配設されている。前述の弾性部材７３の凹部７３ｂ（図２も参照）は、弾性部材７３のフレキシブル基板８８との密着面による上記２つの端子９８の半田付け部分への圧接を回避するために設けられている。
【００４５】
上記フレキシブル基板８８の弾性部材７３との密着面の反対側面には、板状部材９９が密着して配置される。更に、この板状部材９９は、中枠５０の側面開口部の縁面５０ａに接着されて、中枠５０と板状部材９９とによる図２にも示した電池室５５を形成する。電池室５５の下方の開放部は、周囲にパッキンを備えた図１(b) に示した電池蓋３ｂによって外部から封止される。この封止される電池室５５に装填された電池により発生するガス抜きのために、中枠５０の側面には複数の通気孔５０ｂが穿設されている。
【００４６】
また、上記電池室５５を形成する中枠５０には、その上部フレームを更に図の左方に延び出して形成されたマイク設置部５０ｃの先端部にはマイク保持孔６２が形成されている。このマイク保持孔６２にマイク６３が嵌入して保持され、前述したようにマイク６３から引き出された２本のリード線９７が、その終端部を２つの端子９８にそれぞれ半田付けされる。
【００４７】
また、マイク６３は、その上面取り付け部にフランジ１００を備えている。このフランジ１００は完全な円環ではなく、一部に小さな切り欠き１０１が形成されているが、これについては後述する。なお、図３では、マイク６３の形状を明確にするために、マイク６３の形状のみを相対的に大きく記載している。
【００４８】
他方、フレキシブル基板８８のスピーカ配置用の切り欠き部９５には、スピーカ１０２が配置される。スピーカ１０２の前面（振動板の放音方向、図の左方）には、振動版の周囲を取り囲むフランジ１０３が設けられ、このフランジ１０３のフランジ面１０３ａに密着する例えばＰＥＴ等から成るリング状の硬質スペーサ１０４と、この硬質スペーサ１０４に重なって周囲が密着するスピーカ用防水シート６９と、このスピーカ用防水シート６９の上記硬質スペーサ１０４との密着面の反対側周囲に貼着された両面粘着テープ１０５が配置される。そして、スピーカ１０２の背面（図の右方）には、クッション１０６と後述する両面粘着シートを備えている。スピーカ用防水シート６９は、後カバー板７１の内面に両面粘着テープ１０５によって貼着される。
【００４９】
尚、上記のフランジ１０３は、これも完全な円環ではなく、一部に小さな切り欠き１０７が形成されているが、これについては後述する。
図４は、上記スピーカ１０２及びそのスピーカ取り付け部の構成を示す図であり、図１(b) のＡ−Ａ´断面矢視図を示している。尚、図４には、図１〜図３に示した構成と同一の構成部分には、図１〜図３と同一の番号を付与して示している。
【００５０】
図４に示すように、スピーカ１０２は、スピーカ振動板１０８と、このスピーカ振動板１０８を保持するスピーカフレーム１０９を備えている。スピーカフレーム１０９の円周部は直角に立設するフランジ１０３が一体に形成されている。フランジ１０３のフランジ面１０３ａ（図３も参照）は、硬質スペーサ１０４を介して、スピーカ用防水シート６９の裏面周囲に圧接している。スピーカフレーム１０９の背面はクッション１０６を介し両面粘着シート１１１により板状部材９９の面に密着している。
【００５１】
これによりスピーカ部全体が、後カバー板７７と板状部材９９とに挟まれた状態で保持されて位置固定されている。プレス加工で製造されたスピーカフレーム１０９のフランジ１０３の一部にバリがあっても、硬質スペーサ１０４を介してスピーカ用防水シート６９に圧接されるので、バリによるスピーカ防水シート６９の破損が防止できる。また、この配置により、スピーカ１０２は、中枠５０と板状部材９９とで構成されている電池室５５の近傍に配置された状態となる。
【００５２】
上記スピーカ１０２のフランジ１０３の周端部の面、つまりフランジ面１０３ａは、硬質スペーサ１０４が配置されないときにはスピーカ振動板１０８の最大高さよりも高い位置に配置されなければならないが、本例では、硬質スペーサ１０４が配設されていることにより、フランジ面１０３ａは、スピーカ振動板１０８の最大高さに対して、高さｈだけ低い位置に配置される。このように、僅かでも全体構成が薄くなるように配慮されている。
【００５３】
また、通常の構成では、このような配置のスピーカ１０２において、スピーカ振動板１０８を含む空間１１２は、スピーカフレーム１０９、フランジ１０３、及び硬質スペーサ１０４により密閉されて、本来はカメラ内部の空間１１３とは独立した構成となるが、本例では、フランジ１０３には一部に小さな切り欠き１０７が形成されている。これにより、スピーカ１０２は、スピーカ振動板１０８を含む空間１１２がカメラ内部の空間１１３と一部分でのみ連通するように、防水部材としてのスピーカ用防水シート６９に対して取り付けられている。
【００５４】
そして、スピーカ用防水シート６９が水分不通過性ではあるが空気通過性であることにより、カメラ内部の空間１１３とカメラ外部の空間１１４は、スピーカ用防水シート６９、スピーカ振動板１０８を含む空間１１２、及びフランジ１０３の切り欠き１０７を介して空気的に連通する。
【００５５】
これにより、カメラ内部の空間１１３の空気圧が高まったときには、カメラ内部の空気がフランジ１０３の切り欠き１０７、スピーカ振動板１０８を含む空間１１２、及びスピーカ用防水シート６９を介してカメラ外部の空間１１４に流出し、カメラ内部の空間１１３の空気圧が低下したときには、カメラ外部の空気がスピーカ用防水シート６９、スピーカ振動板１０８を含む空間１１２、及びフランジ１０３の切り欠き１０７を介してカメラ内部の空間１１３に流入して、常に内外の気圧差が平衡するように維持される。あるいは電池などからカメラ内部に発生したガスを外部に排出することができる。
【００５６】
図５は、上述したマイク６３とそのマイク取り付け部の構成を示す図である。尚、図５には、図１〜図３に示した構成と同一の構成部分には、図１〜図３と同一の番号を付与して示している。
図５に示すように、マイク６３は、マイク振動板１１５とマイク本体１１６からなり、ゴム性部材からなる円筒状の保護材１１７に本体周面を保護されて、マイク保持孔６２に保持されている。円筒状の保護材１１７の上部には、保護材１１７と一体なワッシャ状の水平フランジ１１８と、この水平フランジ１１８の内径から一体に立設する円環状の垂直フランジ１１９からなる図３にも示したフランジ１００が形成されている。この垂直フランジ１１９の円周面は前カバー枠３６のマイク用開口部３７の周囲下面に圧接している。
【００５７】
このように、前カバー枠３６のマイク用開口部３７は、下方開口部が、マイク６３のフランジ１００によりカメラ内部と遮蔽され、上部開口は、マイク開口部用防水シート３８で覆われて、このマイク開口部用防水シート３８を介して、中カバーユニット２ｂの中カバー板６４に設けられたマイク開口部９に対峙している。
【００５８】
このような一般的なマイク取り付け部の構成で、マイク６３において、マイク振動板１１５を含む空間１２１は、フランジ１００、及び前カバー枠３６により密閉されて、本来はカメラ内部の空間１１３とは独立した構成となるが、本例では、フランジ１００にはその垂直フランジ１１９の一部に小さな切り欠き１０１が形成されている。これにより、マイク６３は、マイク振動板１１５を含む空間１２１がカメラ内部の空間１１３と一部分でのみ連通するように、上面をマイク開口部用防水シート３８で覆われたマイク用開口部３７に対して取り付けられている。
【００５９】
そして、マイク開口部用防水シート３８が水分不通過性ではあるが空気通過性であることにより、カメラ内部の空間１１３とカメラ外部の空間１１４は、マイク開口部用防水シート３８、マイク振動板１１５を含む空間１２１、及びフランジ１００の切り欠き１０１を介して空気的に連通する。
【００６０】
これにより、ここでも、カメラ内部の空間１１３の空気圧が高まったときには、カメラ内部の空気がフランジ１００の切り欠き１０１、マイク振動板１１５含む空間１２１、及びマイク開口部用防水シート３８を介してカメラ外部の空間１１４に流出し、カメラ内部の空間１１３の空気圧が低下したときには、カメラ外部の空気がマイク開口部用防水シート３８、マイク振動板１１５を含む空間１２１、及びフランジ１００の切り欠き１０１を介してカメラ内部の空間１１３に流入して、常に内外の気圧差が平衡するように維持される。あるいは電池などからカメラ内部に発生したガスを外部に排出することができる。
【００６１】
また、マイク６３は、ガスを発生しやすい電池室５５だけでなく、いずれも動作時に発熱を伴うレンズ部（鏡筒部組立ユニット２０）とストロボ発光用のストロボコンデンサ５６の近傍に配置されるので、上記のような外部との通気により、レンズ部やストロボコンデンサ５６の放熱にも有効である。
【００６２】
続いて、十字操作ボタン１３及びその近傍の構成について、以下更に詳しく説明する。
図６(a) は、十字操作ボタン１３のみを取り出して示す平面図であり、同図(b) はその背面図である。同図(a) に示すように、十字操作ボタン１３は、４個の操作ボタン１２２を備えている。これら４個の各操作ボタン１２２は、それぞれ二本の支持腕１２３に支持されて、支持腕１２３の端部はそれぞれ十字操作ボタン１３の中央に位置する円環部１２４において一体的に結合し、これにより各操作ボタン１２２は円環部１２４を中心に輻射状に設けられている。これらの各操作ボタン１２２の裏面には、同図(b) に示すように、スイッチ押圧用突起１２５が形成されている。また、円環部１２４の環孔は、図３にも示した位置決め用孔１３ａとなっている。
【００６３】
上記の十字操作ボタン１３は、図６(a) に示す表側の全面が静電気導通性面に形成されており、裏側の全面は静電気非導通性面となっている。
図７(a) は、図６(a) に示した十字操作ボタン１３の正面図において円環部１２４に対し対称に配置される２個の操作ボタン１２２を、縦１／２を切り出して示す図であり、判りやすいように、一体形成の操作ボタン１２２、支持腕１２３、及び円環部１２４にハッチングを施して図示している。
【００６４】
また、図７(b) は、同図(a) を矢印Ｂ方向（図１(b) の矢印Ｂも同様）から見た図であり、十字操作ボタン１３のみでなく、十字操作ボタン１３に係わる近傍の構成を共に示している。また、図７(c),(d),(e) は、それぞれ操作ボタン１２２の表面の構成例を説明する図である。尚、図７(a) 〜(e) には、図１乃至図６までに示した構成と同一の構成部分には図１乃至図６と同一番号を付与して示している。
【００６５】
図７(b) に示すように、十字操作ボタン１３は円環部１２４の位置決め用孔１３ａによって、後カバー板７７は裏側凸部７７ａによって、弾性部材７３は十字操作ボタン押圧用の凸部７３ａによって、それぞれ相互に位置決めされている。この弾性部材７３は、上記十字操作ボタン押圧用の凸部７３ａの反対側面に凸部７３ｃを有することで、この凸部７３ｃがフレキシブル基板８８の面に押圧することにより、その反作用として、十字操作ボタン１３の円環部１２４を後カバー板７７の裏側凸部７７ａ回りに押圧して、十字操作ボタン１３を後カバー板７７に固定している。
【００６６】
これにより、十字操作ボタン１３は、各操作ボタン１２２を自由端とし、二本の支持腕１２３を腕部とする片持ち状態で、円環部１２４によって、取り付け部（後カバー板７７の裏側凸部７７ａ回り）に固定される状態となる。
各操作ボタン１２２は、支持腕１２３に支持され、裏面のスイッチ押圧用突起１２５を弾性部材７３の対応する孔に密着挿通されて、そのスイッチ押圧用突起１２５の突端がフレキシブル基板８８に実装又は形成されている十字用スイッチ９１にそれぞれ所定の間隙をもって対峙している。
【００６７】
上記の弾性部材７３は、後カバー板７７の裏側と直接接触している面は、接着剤１２６で接着されており、縁部分は全周に封止用接着剤１２７が盛り付けられて封止されている。これにより、操作ボタン１２２と後カバー板７７のボタン孔１２８との間隙から侵入する水分が、回路基板の配置されているカメラ本体内部に浸透しないように外部から防御されている。
【００６８】
ところで、操作ボタン１２２には静電気が帯電し易いことは前述したが、本例の場合、十字操作ボタン１３の表側の全面が静電気導通性面に形成されていることに加えて、操作ボタン１２２を片持ち状態にしている二本の支持腕１２３の端部に連設されている円環部１２４が、外装部材である後カバー板７７の裏側に、物理的にほぼ密着した状態で配置されているので、操作ボタン１２２に帯電した静電気は、支持腕１２３及び円環部１２４を介して容易に後カバー板７７に放電される。したがって、操作ボタン１２２のスイッチ押圧用突起１２５から十字用スイッチ９１を介してフレキシブル基板８８に静電気が伝わって電子回路を損傷させる虞はない。
【００６９】
また、前述したように、操作ボタン１２２の裏側つまりフレキシブル基板８８に対向する面の全面は静電気非導通性面となっているので、フレキシブル基板８８の電気回路に静電気が落ちる可能性をより一層低減させることができる。
同図(c) は、表面無加工の十字操作ボタン１３の一部を示しているが、通常このような操作ボタンは、外観上の見映えを良くするために金属光沢のある表面とするための金属鍍金を施こす場合が多い。本例でも金属鍍金を施すが、操作ボタン１２２の部分だけでなく、同図(d) の矢印ａで示すように、操作ボタン１２２と支持腕１２３及び円環部１２４の範囲を、ただし後カバー板７７側を向く表面のみに、金属鍍金を施している。これにより、操作ボタン１２２に帯電した静電気が、より一層支持腕１２３及び円環部１２４を介して後カバー板７７に放電され易くなる。また、金属鍍金は同図(d) の矢印ａ´で示すように、支持椀１２３まででも良い。これは、支持椀１２３が後カバー板７７の裏側に近接しているので、支持椀１２３を介して放電がなされるからである。
【００７０】
なお、十字操作ボタン１３の操作ボタン１２２が長期に使用されると、金属鍍金が剥げ落ちて美観を損ねるから、金属鍍金の上から更に硬質樹脂などで被覆すると金属鍍金が剥げ落ちることなく操作ボタン１２２が長期の使用に耐えることができる。その場合の硬質樹脂の被覆は、同図(e) の矢印ｂで示すように、後カバー板７７のボタン孔１２８から外部に露出する操作ボタン１２２の部分だけでも十分である。
【００７１】
このようにしても、操作ボタン１２２に帯電した静電気が支持腕１２３及び円環部１２４を介して後カバー板７７に容易に放電されることにおいて変わるところはない。
このように、本例の十字操作ボタン１３においては、複数個備えられた操作部材が根元部分で一体的に結合された一体的結合部分を中心に輻射状に設けられるので、複数の操作部材に対し一括して静電気対策ができ、これにより、本体装置の小型化に寄与することができる。
【００７２】
以上、本発明によれば、外観部としての後カバー板７７表面に露出される複数のつまみ部としての操作ボタン１２２と、これを支持する支持部としての支持腕１２３の表面とに連続的な静電気導通性面を形成し、複数の操作ボタン１２２が支持腕１２３の根元部分で一体的に結合する円環部１２４が、外装部としての後カバー板７７裏面に近接又は密着させるように取り付けられるので、簡単な構成で、操作部材としての十字操作ボタン１３に帯電した静電気を取付部材の後カバー板７７に容易に逃がすことができ、これにより、静電気による電気回路基板の静電気破壊を防止することができる。
【００７３】
このように、画像撮影用の撮像素子を備えたカメラの撮影条件設定操作用の操作部に本発明の十字操作ボタン１３にような操作装置を用いると、電子部品が多数内蔵されるデジタルカメラが静電気から保護されるので便利である。
また、本発明の十字操作ボタン１３にような静電気対策を施した複数の操作ボタンから成る操作装置は、カメラ本体の背面に備えることが容易であるので、カメラ本体の体積の大型化を防止することができ、近年のデジタルカメラの小型化への市場の要望に対応することが容易となる。
【００７４】
尚、上述した実施の形態では、デジタルカメラについて説明したが、これに限ることなく、例えばカメラであれば、デジタルカメラ以外にもビデオカメラ、携帯電話に内蔵のカメラ部、情報機器に内蔵のカメラ部等にも適用でき、また、カメラに限ることなく、他の電子機器、例えば、画像再生機でスピーカが有ってレンズ部が無いもの、ＰＤＡ（personal digital assistant）、音声記録装置等にも適用できることは言うまでも無い。
【図面の簡単な説明】
【００７５】
【図１】(a) は第１の実施の形態におけるデジタルカメラを前面から見た外観斜視図、(b) はその背面から見た外観斜視図である。
【図２】デジタルカメラの概略の内部構成を前方から見た分解斜視図である。
【図３】デジタルカメラの一部内部構成を後方から見た分解斜視図である。
【図４】デジタルカメラのスピーカ及びスピーカ取り付け部の構成を示す図である。
【図５】デジタルカメラのマイク及びマイク取り付け部の構成を示す図である。
【図６】(a) は十字操作ボタンのみを取り出して示す平面図、(b) はその背面図である。
【図７】(a) は十字操作ボタンの円環部に対し対称に配置される２個の操作ボタンを縦１／２を切り出して示す図、(b) は(a) を矢印Ｂ方向から見た十字操作ボタンとその近傍の構成を共に示す図、(c),(d),(e) はそれぞれ操作ボタンの表面の構成例を説明する図である。
【符号の説明】
【００７６】
１      デジタルカメラ（カメラ）
２      カメラ主外装部
２ａ  前カバーユニット
２ｂ  中カバーユニット
２ｃ  後カバーユニット
３ａ    コネクタ蓋
３ｂ    電池蓋
４      撮影レンズ鏡筒
５      撮影レンズ
６      レンズバリア
７ａ、７ｂ  スライド溝
８      レリーズスイッチ操作釦
９      マイク開口部
１１    ファインダ接眼窓部
１２    ＬＣＤ表示窓部
１３    十字操作ボタン
１３ａ  位置決め用孔
１４    ズームボタン
１５    液晶モニタ／再生ボタン
１６    ＯＫ／メニューボタン
１７    スピーカ用開口部
１８    ストラップ取付部
２０    鏡筒部組立ユニット
２１    基板中枠ユニット
２２    カバー板
２３    撮影レンズ用開口部
２４    前面部開口部
２５    ストロボ発光窓
２６    ファインダ窓
２７    セルフタイマＬＥＤ窓
２８    リモートコントロール用窓
２９ａ、２９ｂ  レンズバリア取り付け経路（一点鎖線矢印）
３１    前面部開口用防水シート
３２    前面部開口用防水シート取り付け経路（破線矢印）
３３    ストロボ発光管
３４    ストロボ発光ユニット
３５    ファインダユニット
３６    前カバー枠
３７    マイク用開口部
３８    マイク開口部用防水シート
３９    防水用パッキン
４０    固定枠
４１    移動枠
４２    モータ
４３    レンズ駆動部
４４    ＣＣＤ基板
４５    撮像素子基板
４６    ユニット取り付け板
４７    ＬＣＤ表示ユニット
４８    フレキシブルプリント基板
４９    撮像用基板
５０    中枠
５０ａ  側面開口部縁面
５０ｂ  通気孔
５０ｃ  マイク設置部
５１    第１電装基板
５２    第２電装基板
５３    第３電装基板
５４    電源用電池
５５    電池室
５６    ストロボコンデンサ
５７    内部接続コネクタ
５８    カードスロット
５９    ビデオ出力コネクタ端子部
６１    ＵＳＢコネクタ端子部
６２    マイク保持孔
６３    マイク
６４    中カバー板
６５    レリーズ釦用開口部
６６    マイク用開口部
６７    ＤＣ端子用切り欠き部
６８    ＤＣコネクタ端子
６９    スピーカ用防水シート
７１    後カバー板
７２    後カバー枠
７３    弾性部材
７３ａ  突起部
７３ｂ  凹部
７３ｃ  凸部
７４    ＤＣコネクタ端子用開口部
７５    電池挿入用開口部
７６    ＤＣコネクタ端子用切り欠き部
７７    後カバー板
７７ａ  裏側凸部
７８    ファインダ用開口
７９    ＬＣＤ用開口
８１    十字ボタン用開口
８２    モニタ／再生用開口
８３    ＯＫ／メニュー用開口
８４    切り欠き部
８５    ズーム用開口
８６    支柱
８７    ズームボタン取り付け経路（一点鎖線矢印）
８８    フレキシブル基板
８９    ズーム用スイッチ
９１    十字用スイッチ
９２    モニタ／再生用スイッチ
９３    ＯＫ／メニュー用スイッチ
９４    レリーズスイッチ
９５    切り欠き部
９６    レンズ移動枠駆動用配線部
９７    リード線
９８    端子
９９    板状部材
１００  フランジ
１０１  切り欠き
１０２  スピーカ
１０３  フランジ
１０３ａ  フランジ面
１０４  硬質スペーサ
１０５  両面テープ
１０６  クッション
１０７  切り欠き
１０８  振動板
１０９  スピーカフレーム
１１１  両面粘着シート
１１２  スピーカ振動板を含む空間
１１３  カメラ内部の空間
１１４  カメラ外部の空間
１１５  マイク振動板
１１６  マイク本体
１１７  保護材
１１８  水平フランジ
１１９  垂直フランジ
１２１  マイク振動板を含む空間
１２２  操作ボタン
１２３  支持腕
１２４  円環部
１２５  スイッチ押圧用突起
１２６  接着剤
１２７  封止用接着剤
１２８  ボタン孔
【図１】
2005251551.tif 000003
【図２】
2005251551.tif 000004
【図３】
2005251551.tif 000005
【図４】
2005251551.tif 000006
【図５】
2005251551.tif 000007
【図６】
2005251551.tif 000008
【図７】
2005251551.tif 000009